(57)【要約】【課題】複数のユーザ端末の位置に基づいて、ビンゴゲームサービスを提供することが可能な情報処理装置、情報処理方法、およびプログラムを提供する。【解決手段】１または２以上のユーザ端末と通信を行う通信部と、ユーザ端末それぞれから取得されたユーザ端末の位置を示す位置情報と、複数の場所を示す場所情報とに基づいて、第１の条件を満たすことを判定する第１条件判定部と、第１の条件を満たすと判定された場合に、位置情報と場所情報とに基づいて、第１の条件よりも厳しい条件である第２の条件を満たすことを判定する第２条件判定部と、ユーザ端末に対して、第１の条件に関する判定の結果、または、第２の条件に関する判定の結果を通知する通知処理部とを備える、情報処理装置が提供される。【選択図】図９
2013208147.tif 000002
【特許請求の範囲】
【請求項１】
１または２以上のユーザ端末と通信を行う通信部と、
前記ユーザ端末それぞれから取得されたユーザ端末の位置を示す位置情報と、複数の場所を示す場所情報とに基づいて、第１の条件を満たすことを判定する第１条件判定部と、
前記第１の条件を満たすと判定された場合に、前記位置情報と前記場所情報とに基づいて、前記第１の条件よりも厳しい条件である第２の条件を満たすことを判定する第２条件判定部と、
ユーザ端末に対して、前記第１の条件に関する判定の結果、または、前記第２の条件に関する判定の結果を通知する通知処理部と、
を備える、情報処理装置。
【請求項２】
前記通知処理部は、前記第１の条件を満たすと判定された場合には、
前記位置情報と前記場所情報とに基づいて、前記第２の条件を満たす可能性があるユーザ端末を、候補ユーザ端末として特定し、
前記通信部に、前記第１の条件に関する判定の結果としての前記第１の条件が満たされたことを示す情報を、前記第１の条件を満たしているユーザ端末と、前記候補ユーザ端末とに対して送信させる、請求項１に記載の情報処理装置。
【請求項３】
前記第２条件判定部は、前記第１の条件を満たしているユーザ端末と、前記候補ユーザ端末とが、前記第２の条件を満たすことを判定する、請求項２に記載の情報処理装置。
【請求項４】
前記通知処理部は、前記第２の条件を満たすと判定された場合には、
前記通信部に、前記第２の条件に関する判定の結果としての前記第２の条件が満たされてたことを示す情報を、前記第２の条件を満たしているユーザ端末と、前記第２の条件を満たしているユーザ端末を除く前記候補ユーザ端末とに対して送信させる、請求項３に記載の情報処理装置。
【請求項５】
前記通知処理部は、前記第１の条件を満たすと判定された後、前記第２の条件を満たすと判定される前に、前記第１の条件を満たすと判定されなくなったときには、
前記通信部に、前記第１の条件に関する判定の結果としての前記第１の条件が満たされなくなったことを示す情報を、前記第１の条件を満たしていたユーザ端末と、前記候補ユーザ端末とに対して送信させる、請求項２に記載の情報処理装置。
【請求項６】
前記第１条件判定部と、前記第２条件判定部とは、さらに、前記ユーザ端末それぞれから取得されたユーザを示すユーザ情報に基づいて判定を行う、請求項１に記載の情報処理装置。
【請求項７】
前記第１の条件と前記第２の条件とを設定する条件設定部をさらに備える、請求項１に記載の情報処理装置。
【請求項８】
前記条件設定部は、前記第２の条件を満たすと判定された場合には、新たに、前記第１の条件と前記第２の条件とを設定する、請求項７に記載の情報処理装置。
【請求項９】
前記通知処理部は、前記通信部に、新たに設定された第２の条件に関する情報を、前記ユーザ端末に対して送信させる、請求項８に記載の情報処理装置。
【請求項１０】
前記第２の条件は、第１の条件よりも空間的な条件が厳しい、請求項１に記載の情報処理装置。
【請求項１１】
前記第２の条件は、第１の条件よりも時間的な条件が厳しい、請求項１に記載の情報処理装置。
【請求項１２】
前記第２の条件は、第１の条件よりも条件数が多い、請求項１に記載の情報処理装置。
【請求項１３】
前記第２の条件は、前記第１の条件に加え、さらに、前記ユーザ端末のユーザの所定の動作が検出されたことを条件とする、請求項１２に記載の情報処理装置。
【請求項１４】
１または２以上のユーザ端末それぞれから取得されたユーザ端末の位置を示す位置情報と、複数の場所を示す場所情報とに基づいて、第１の条件を満たすことを判定するステップと、
前記第１の条件を満たすと判定された場合に、前記位置情報と前記場所情報とに基づいて、前記第１の条件よりも厳しい条件である第２の条件を満たすことを判定するステップと、
ユーザ端末に対して、前記第１の条件に関する判定の結果、または、前記第２の条件に関する判定の結果を通知するステップと、
を有する、情報処理方法。
【請求項１５】
１または２以上のユーザ端末それぞれから取得されたユーザ端末の位置を示す位置情報と、複数の場所を示す場所情報とに基づいて、第１の条件を満たすことを判定するステップ、
前記第１の条件を満たすと判定された場合に、前記位置情報と前記場所情報とに基づいて、前記第１の条件よりも厳しい条件である第２の条件を満たすことを判定するステップ、
ユーザ端末に対して、前記第１の条件に関する判定の結果、または、前記第２の条件に関する判定の結果を通知するステップ、
をコンピュータに実行させるためのプログラム。
【発明の詳細な説明】
【技術分野】
【０００１】
本開示は、情報処理装置、情報処理方法、およびプログラムに関する。
【背景技術】
【０００２】
近年、例えば、携帯電話やスマートフォンなどのような通信装置や、ＰＣ（Personal  Computer）などのコンピュータ、ゲーム機などの、ユーザが所持する装置（以下、「ユーザ端末」と示す。）の高機能化がますます進んでおり、また、ユーザ端末の機能に対応した様々なサービスの提供が行われている。例えば、ＧＰＳ（Global  Positioning  System）デバイスなどのような、ユーザ端末の位置の特定に用いることが可能なセンサを備えるユーザ端末の普及が進んでおり、ユーザ端末の位置に応じて情報を提供するサービスなどのサービスの提供が行われている。
【０００３】
このような中、ユーザ端末の位置に基づいて、ユーザ端末のユーザに対して通知を行う技術が開発されている。ユーザ端末の位置に基づいてユーザ端末がハンズフリーゾーンに隣接しているかを判定して、ユーザ端末がハンズフリーゾーンに隣接しているかをユーザに通知する技術としては、例えば、特許文献１に記載の技術が挙げられる。
【先行技術文献】
【特許文献】
【０００４】
【特許文献１】特表２００７−５３４２６９号公報
【発明の概要】
【発明が解決しようとする課題】
【０００５】
例えば特許文献１に記載の技術を用いる場合には、各ユーザ端末のユーザに対して、自己のユーザ端末が特定の場所（または領域）に隣接しているかについての通知を行うことが可能である。しかしながら、例えば特許文献１に記載の技術は、１つのユーザ端末が特定の場所に隣接しているかを判定して通知を行うものであり、例えば特許文献１に記載の技術では、複数のユーザ端末の位置に基づいて、ユーザ端末のユーザに対して通知を行うことについては、何らの考慮もなされていない。
【０００６】
よって、例えば特許文献１に記載の技術を用いたとしても、複数のユーザ端末の位置に基づくサービスの提供の実現は、望むべくもない。
【０００７】
本開示では、複数のユーザ端末の位置に基づいて、ビンゴゲームサービスを提供することが可能な、新規かつ改良された情報処理装置、情報処理方法、およびプログラムを提案する。
【課題を解決するための手段】
【０００８】
本開示によれば、１または２以上のユーザ端末と通信を行う通信部と、上記ユーザ端末それぞれから取得されたユーザ端末の位置を示す位置情報と、複数の場所を示す場所情報とに基づいて、第１の条件を満たすことを判定する第１条件判定部と、上記第１の条件を満たすと判定された場合に、上記位置情報と上記場所情報とに基づいて、上記第１の条件よりも厳しい条件である第２の条件を満たすことを判定する第２条件判定部と、ユーザ端末に対して、上記第１の条件に関する判定の結果、または、上記第２の条件に関する判定の結果を通知する通知処理部と、を備える、情報処理装置が提供される。
【０００９】
また、本開示によれば、１または２以上のユーザ端末それぞれから取得されたユーザ端末の位置を示す位置情報と、複数の場所を示す場所情報とに基づいて、第１の条件を満たすことを判定するステップと、上記第１の条件を満たすと判定された場合に、上記位置情報と上記場所情報とに基づいて、上記第１の条件よりも厳しい条件である第２の条件を満たすことを判定するステップと、ユーザ端末に対して、上記第１の条件に関する判定の結果、または、上記第２の条件に関する判定の結果を通知するステップと、を有する、情報処理方法が提供される。
【００１０】
また、本開示によれば、１または２以上のユーザ端末それぞれから取得されたユーザ端末の位置を示す位置情報と、複数の場所を示す場所情報とに基づいて、第１の条件を満たすことを判定するステップ、上記第１の条件を満たすと判定された場合に、上記位置情報と上記場所情報とに基づいて、上記第１の条件よりも厳しい条件である第２の条件を満たすことを判定するステップ、ユーザ端末に対して、上記第１の条件に関する判定の結果、または、上記第２の条件に関する判定の結果を通知するステップ、をコンピュータに実行させるためのプログラムが提供される。
【発明の効果】
【００１１】
本開示によれば、複数のユーザ端末の位置に基づいて、ビンゴゲームサービスを提供することができる。
【図面の簡単な説明】
【００１２】
【図１】本実施形態に係る情報処理装置が提供するビンゴゲームサービスの概要を説明するための説明図である。
【図２】本実施形態に係る情報処理装置が行う“リーチ状態であること”を示す通知によって、ユーザ端末などに表示される表示画面の一例を示す説明図である。
【図３】本実施形態に係る情報処理装置が行う“リーチ状態であること”を示す通知によって、ユーザ端末などに表示される表示画面の他の例を示す説明図である。
【図４Ａ】本実施形態に係る情報処理装置が提供するビンゴゲームサービスの概要を説明するための説明図である。
【図４Ｂ】本実施形態に係る情報処理装置が提供するビンゴゲームサービスの概要を説明するための説明図である。
【図４Ｃ】本実施形態に係る情報処理装置が提供するビンゴゲームサービスの概要を説明するための説明図である。
【図４Ｄ】本実施形態に係る情報処理装置が提供するビンゴゲームサービスの概要を説明するための説明図である。
【図５】本実施形態に係る第１の条件、第２の条件の第１の例を説明するための説明図である。
【図６Ａ】本実施形態に係る第１の条件、第２の条件の第２の例を説明するための説明図である。
【図６Ｂ】本実施形態に係る第１の条件、第２の条件の第２の例を説明するための説明図である。
【図７】本実施形態に係る情報処理装置が、画像データに基づいてユーザの所定の動作の検出を行う場合の概要を説明するための説明図である。
【図８】本実施形態に係る情報処理装置における、本実施形態に係る情報処理方法に係る処理の一例を示す流れ図である。
【図９】本実施形態に係る情報処理装置の構成の一例を示すブロック図である。
【図１０】本実施形態に係る情報処理装置のハードウェア構成の一例を示す説明図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、以下では、下記に示す順序で説明を行う。
１．本実施形態に係る情報処理方法
２．本実施形態に係る情報処理装置
３．本実施形態に係るプログラム
【００１５】
（本実施形態に係る情報処理方法）
本実施形態に係る情報処理装置の構成について説明する前に、ビンゴゲームサービスを実現することが可能な、本実施形態に係る情報処理方法について説明する。また、以下では、本実施形態に係る情報処理装置が、本実施形態に係る情報処理方法に係る処理を行うものとして説明する。
【００１６】
［１］本実施形態に係る情報処理方法の概要
本実施形態に係る情報処理装置は、ネットワークを介して（あるいは、直接的に）接続された１または２以上のユーザ端末と通信を行い、ユーザ端末それぞれから、ユーザ端末の位置を示す位置情報を取得する。
【００１７】
ここで、本実施形態に係るネットワークとしては、例えば、無線ＬＡＮ（ＷＬＡＮ；Wireless  Local  Area  Network）や、基地局を介した無線ＷＡＮ（ＷＷＡＮ；Wireless  Wide  Area  Network）などの無線ネットワーク、ＬＡＮ（Local  Area  Network）やＷＡＮ（Wide  Area  Network）などの有線ネットワーク、あるいは、ＴＣＰ／ＩＰ（Transmission  Control  Protocol/Internet  Protocol）などの通信プロトコルを用いたインターネットなどが挙げられる。
【００１８】
また、本実施形態に係る情報処理装置は、取得された位置情報と、ビンゴゲームにおけるマス目に書かれた数字に相当する、複数の場所を示す場所情報とに基づいて、第１の条件と、第１の条件よりも厳しい条件である第２の条件とを満たすことを判定する。
【００１９】
ここで、本実施形態に係る場所情報が示す場所は、例えば第２の条件に応じて設定される。本実施形態に係る場所情報が示す場所としては、例えば、店舗の位置や、当該店舗の位置を含む領域などが挙げられる。また、本実施形態に係る第１の条件とは、ビンゴゲームにおいてリーチに相当する状態を満たす条件であり、少なくとも場所に関する条件を有する。また、本実施形態に係る第２の条件とは、ビンゴゲームにおいてビンゴに相当する状態を満たす条件であり、少なくとも場所に関する条件を有する。以下では、第１の条件が「リーチ条件」であり、第２の条件が「ビンゴ条件」であるものとして説明する。また、本実施形態に係る第１の条件、および本実施形態に係る第２の条件の具体例については、後述する。
【００２０】
そして、本実施形態に係る情報処理装置は、ユーザ端末に対して、第１の条件に関する判定の結果、または、第２の条件に関する判定の結果を通知する。ここで、本実施形態に係る情報処理装置は、例えば、各条件に対応するユーザ端末に対して、選択的に判定結果を通知する。なお、本実施形態に係る情報処理装置は、例えば、通信可能なユーザ端末全てに対して判定結果を通知することも可能である。本実施形態に係る情報処理装置における選択的な判定結果の通知の具体例については、後述する。
【００２１】
例えば上記のように、本実施形態に係る情報処理装置は、ユーザ端末それぞれから取得された位置情報に基づいて、ビンゴゲームにおけるリーチに相当する状態の判定に係る第１の条件と、ビンゴゲームにおけるビンゴに相当する状態の判定に係る第２の条件との判定を行い（判定処理）、判定結果をユーザ端末に通知する（通知処理）。よって、本実施形態に係る情報処理装置から送信された通知を受信したユーザ端末のユーザは、例えば、ビンゴゲームの現在の状態が、リーチ状態であるか否かや、ビンゴ状態となったことを認識することが可能となる。
【００２２】
したがって、本実施形態に係る情報処理装置は、（１）判定処理、および（２）通知処理を行うことによって、複数のユーザ端末の位置に基づいて、ビンゴゲームサービスをユーザに提供することができる。
【００２３】
［２］本実施形態に係る情報処理方法に係る処理により実現されるビンゴゲームサービスの概要
図１は、本実施形態に係る情報処理装置が提供するビンゴゲームサービスの概要を説明するための説明図である。図１では、Ａ〜Ｆの７つのユーザ端末の位置に基づいて本実施形態に係る情報処理装置が処理を行う例、すなわち、７つのユーザ端末をそれぞれ所有する７人のユーザが、ビンゴゲームに参加をしている例を示している。以下では、ユーザ端末Ａ〜ユーザ端末Ｆと示す場合がある。
【００２４】
図１に示す“ＡＲ１_Ｂ”、“ＡＲ２_Ｂ”、“ＡＲ３_Ｂ”、“ＡＲ４_Ｂ”は、場所情報が示す場所を示している。以下では、図１に示すように、場所情報が示す場所が、領域である場合を例に挙げて説明する。
【００２５】
また、図１に示す“ＢＡ”は、ビンゴの成立条件の一例を示している。図１に示す例では、ユーザ端末の位置が、領域ＡＲ１_Ｂ、領域ＡＲ２_Ｂ、領域ＡＲ３_Ｂ、および領域ＡＲ４_Ｂそれぞれの領域内に存在するとき、すなわち、ユーザ端末の位置によって、図１のＢＡに示すクロスの図形が描かれるときに、ビンゴが成立する。また、図１に示す例では、ユーザ端末の位置が、領域ＡＲ１_Ｂ、領域ＡＲ２_Ｂ、領域ＡＲ３_Ｂ、および領域ＡＲ４_Ｂのうちの３つの領域内に存在するときに、リーチ状態となる。なお、図１では、ユーザ端末の位置によってクロスの図形が描かれるときにビンゴが成立する例を示しているが、本実施形態に係るビンゴの成立条件は、上記に限られない。例えば、本実施形態に係る情報処理装置は、第２の条件を設定することによって、場所情報が示す場所を動的に変えることが可能である。よって、ユーザ端末の位置によって描かれる図形は、クロスの図形に限られず、また、場所情報が示す各場所の距離や角度は、動的に変化してもよい。
【００２６】
また、図１に示す“ＡＲ１”、“ＡＲ２”、“ＡＲ３”、“ＡＲ４”は、領域ＡＲ１_Ｂ、領域ＡＲ２_Ｂ、領域ＡＲ３_Ｂ、および領域ＡＲ４_Ｂそれぞれに対応する領域であり、領域ＡＲ１〜領域ＡＲ４を示すデータは、例えば、場所情報に含まれる。また、領域ＡＲ１〜領域ＡＲ４は、例えば、第１の条件が満たされたとき、すなわち、リーチ状態となったときに、本実施形態に係る情報処理装置がユーザ端末に対して“リーチ状態であること”を通知する領域を示している。例えば図１のＧに示すユーザ端末のように、領域ＡＲ１、領域ＡＲ２、領域ＡＲ３、および領域ＡＲ４のいずれの領域内にも位置していないユーザ端末に対しては、本実施形態に係る情報処理装置は、“リーチ状態であること”を示す通知を行わない。また、本実施形態に係る情報処理装置は、例えば図１のＦに示すユーザ端末のように、上記領域内に位置するユーザ端末であっても、リーチ状態に寄与しているユーザ端末ではなく、かつ、ビンゴの成立に係る領域ＡＲ３_Ｂに対応する領域ＡＲ３内に存在しないユーザ端末に対しては、“リーチ状態であること”を示す通知を行わない。
【００２７】
図２は、本実施形態に係る情報処理装置が行う“リーチ状態であること”を示す通知によって、ユーザ端末などに表示される表示画面の一例を示す説明図である。本実施形態に係る情報処理装置は、（２）の処理（通知処理）によって、例えば図２のＡＲ４に示すように、ビンゴ条件（第２の条件）を表す表示が地図上に表示された表示画面を、例えばユーザ端末に表示させる。また、例えば図２に示すように、本実施形態に係る情報処理装置は、ビンゴの成立までの残り時間や、ビンゴに係る達成度を、表示させてもよい。本実施形態に係る情報処理装置は、例えば、図２に示すような表示を行わせるための表示データを、通知を行う対象のユーザ端末などへ送信することによって、図２に示すような表示画面をユーザ端末などに表示させる。
【００２８】
なお、本実施形態に係る情報処理装置が行う“リーチ状態であること”を示す通知によって、ユーザ端末などに表示される表示画面は、図２に示す例に限られない。図３は、本実施形態に係る情報処理装置が行う“リーチ状態であること”を示す通知によって、ユーザ端末などに表示される表示画面の他の例を示す説明図である。図３に示すように、“リーチ状態であること”を示す通知によって表示される表示画面には、例えば、ビンゴゲームに参加している参加ユーザのユーザ端末から発せられたコメントが、地図上の各ユーザを表す表示に対応付けられて表示されてもよい。本実施形態に係る情報処理装置は、例えば、表示を行わせるための表示データと、ユーザ端末から受信したコメントを示すデータとを含むデータを、通知を行う対象のユーザ端末などへ送信することによって、図３に示すような表示画面をユーザ端末などに表示させる。
【００２９】
本実施形態に係る情報処理装置は、例えば図１に示すように、ユーザ端末それぞれの位置と、場所情報が示す場所とに基づいて、（１）の処理（判定処理）、および（２）の処理（通知処理）を行い、ビンゴゲームサービスをユーザに提供する。
【００３０】
以下、具体例を挙げて、本実施形態に係る情報処理方法に係る処理により実現されるビンゴゲームサービスの概要について説明する。なお、以下では、第１の条件（すなわち、リーチ条件）が“領域ＡＲ１_Ｂ、領域ＡＲ２_Ｂ、領域ＡＲ３_Ｂ、および領域ＡＲ４_Ｂのうちの３つの領域内に、ユーザ端末が存在すること”であり、第２の条件（すなわち、ビンゴ条件）が“領域ＡＲ１_Ｂ、領域ＡＲ２_Ｂ、領域ＡＲ３_Ｂ、および領域ＡＲ４_Ｂの全ての領域内に、ユーザ端末が存在すること”である場合を例に挙げて説明する。
【００３１】
図４Ａ〜図４Ｄは、本実施形態に係る情報処理装置が提供するビンゴゲームサービスの概要を説明するための説明図である。ここで、図４Ａは、９：５５における状態を示しており、また、図４Ｂは１０：１０における状態、図４Ｃは１０：１５における状態、および図４Ｄは１０：４５における状態をそれぞれ示している。
【００３２】
図４Ａでは、ユーザ端末Ｅが領域ＡＲ４_Ｂ内に存在するが、領域ＡＲ１_Ｂ〜領域ＡＲ３_Ｂ内には、他のユーザ端末は存在していない。よって、図４Ａに示す状態において、本実施形態に係る情報処理装置は、第１の条件を満たしていると判定せず、各ユーザ端末に対して何らの通知を行わない。
【００３３】
図４Ｂでは、ユーザ端末Ａが領域ＡＲ１_Ｂ内に存在し、ユーザ端末Ｅが領域ＡＲ４_Ｂ内に存在するが、領域ＡＲ２_Ｂおよび領域ＡＲ３_Ｂ内には、他のユーザ端末は存在していない。よって、図４Ｂに示す状態において、本実施形態に係る情報処理装置は、第１の条件を満たしていると判定せず、各ユーザ端末に対して何らの通知を行わない。
【００３４】
図４Ｃでは、ユーザ端末Ａが領域ＡＲ１_Ｂ内に存在し、ユーザ端末Ｂが領域ＡＲ２_Ｂ内に存在し、かつ、ユーザ端末Ｅが領域ＡＲ４_Ｂ内に存在している。また、図４Ｂでは、領域ＡＲ３_Ｂ内には、他のユーザ端末は存在していない。よって、図４Ｃに示す状態において、本実施形態に係る情報処理装置は、第１の条件を満たしていると判定する。
【００３５】
第１の条件を満たしていると判定すると、本実施形態に係る情報処理装置は、各ユーザ端末から取得した位置情報が示す位置と、場所情報とに基づいて、第２の条件を満たす可能性があるユーザ端末を、候補ユーザ端末として特定する。より具体的には、本実施形態に係る情報処理装置は、例えば、位置情報が示す位置と、場所情報が示す領域ＡＲ１〜領域ＡＲ４のうち、ユーザ端末が領域内に存在しない領域ＡＲ３_Ｂに対応する領域ＡＲ３とに基づいて、領域ＡＲ３内に存在するユーザ端末を、候補ユーザ端末として特定する。例えば、図４Ｃでは、本実施形態に係る情報処理装置は、例えば、ユーザ端末Ｃとユーザ端末Ｄとを候補ユーザ端末として特定する。
【００３６】
そして、本実施形態に係る情報処理装置は、第１の条件を満たしているユーザ端末Ａ、Ｂ、Ｅと、候補ユーザ端末であるユーザ端末Ｃ、Ｄとに対して、リーチ状態であること（第１の条件を満たしていること）を示す通知（第１の条件が満たされたことを示す情報。以下、「リーチ通知」と示す。）を行う。ここで、本実施形態に係るリーチ通知には、例えば、ビンゴを成立させるためのヒントや、制限時間などが含まれていてもよい。また、第１の条件を満たしているユーザ端末に対するリーチ通知には、例えば、留まっていなければならない範囲（例えば、場所そのものや、半径何キロメートル以内など）がさらに含まれていてもよい。本実施形態に係る情報処理装置は、例えば、ビンゴを成立させるための領域と候補ユーザ端末との間の距離（複数の候補ユーザ端末が存在する場合には、平均距離や、最も近いユーザ端末との間の距離）に基づいて、制限時間を動的に設定する。
【００３７】
なお、本実施形態に係る情報処理装置は、第１の条件を満たしているユーザ端末または候補ユーザ端末のいずれにも該当しないユーザ端末に対して、例えば、本ビンゴゲームの参加資格がないこと（または参加資格を失ったこと）を示す通知を行ってもよい。また、本実施形態に係る情報処理装置は、さらに、例えば、第１の条件を満たしているユーザ端末および候補ユーザ端末の位置情報を、ビンゴゲームに参加をしているユーザ端末に対して、通知することも可能である。例えば、第１の条件を満たしているユーザ端末および候補ユーザ端末の位置情報が示す位置が、ビンゴゲームに参加をしているユーザ端末において可視化されることによって、ユーザ間のコミュニケーションを活発化させ、その結果、本実施形態に係る情報処理装置が提供するビンゴゲームサービスをより盛り上げることが可能となる。
【００３８】
図４Ｃに示すリーチ状態の後、図４Ｄに示すように、領域ＡＲ３_Ｂ内にユーザ端末Ｃが入ると、本実施形態に係る情報処理装置は、第２の条件を満たしていると判定する。ここで、図４Ｄでは、ユーザ端末Ｂが領域ＡＲ２_Ｂ内に存在せず、また、ユーザ端末Ｅが領域ＡＲ４_Ｂ内に存在していないが、本実施形態に係る情報処理装置は、ユーザ端末Ｂが領域ＡＲ２内に存在し、また、ユーザ端末Ｅが領域ＡＲ４内に存在しているので、第２の条件を満たしていると判定する。
【００３９】
なお、本実施形態に係る情報処理装置における第２の条件に係る判定は、上記に限られない。例えば、本実施形態に係る情報処理装置は、第１の条件を満たしているユーザ端末Ａ、Ｂ、Ｅが、領域ＡＲ１_Ｂ、領域ＡＲ２_Ｂ、領域ＡＲ４_Ｂ内に存在しなくなったときには、第１の条件を満たしていないと判定してもよい。第１の条件を満たしていないと判定した場合には、本実施形態に係る情報処理装置は、例えば、第１の条件を満たしているユーザ端末および候補ユーザ端末に対して、リーチ状態が解除されたことを示す通知（第１の条件が満たされなくなったことを示す情報の通知。以下、「リーチ条件未達通知」と示す。）を行う。また、第１の条件を満たしていないと判定した場合には、本実施形態に係る情報処理装置は、例えば、第１の条件を満たしているユーザ端末または候補ユーザ端末のいずれにも該当しないユーザ端末に対して、例えば、本ビンゴゲームの参加資格があることを示す通知を行ってもよい。
【００４０】
そして、本実施形態に係る情報処理装置は、第２の条件を満たしているユーザ端末Ａ、Ｂ、Ｃ、Ｅと、候補ユーザ端末であるユーザ端末Ｄに対して、ビンゴが成立したこと（第２の条件を満たしたこと）を示す通知（以下、「ビンゴ通知」と示す。）を行う。また、本実施形態に係る情報処理装置は、さらに、第２の条件を満たしているユーザ端末と、第２の条件を満たしているユーザ端末を除く候補ユーザ端末とのいずれにも該当しないユーザ端末に対して、ビンゴ通知を行ってもよい。ここで、第２の条件を満たしているユーザ端末に対する本実施形態に係るビンゴ通知には、例えば、ビンゴゲームにおいてビンゴを成立させたことに対する対価を示すデータ（以下、「対価データ」と示す。）が含まれていてもよい。本実施形態に係る対価データとしては、例えば、クーポンを示すクーポンデータや、バッチを示すデータなどが挙げられる。また、本実施形態に係る情報処理装置は、第１の条件を満たしていたユーザ端末と、ビンゴを成立させたユーザ端末とについて、対価の重みを換えてもよい。より具体的には、本実施形態に係る情報処理装置は、例えば、第１の条件を充足させたユーザ端末よりも、ビンゴを成立させたユーザ端末に対して、より価値が高い対価を示す対価データを含むビンゴ通知を通知する。
【００４１】
また、ビンゴが成立した場合（第２の条件が満たされた場合）、または制限時間内にビンゴが成立しなかった場合（第２の条件が満たされなかった場合）には、本実施形態に係る情報処理装置は、例えば、新たに第１の条件と第２の条件とを設定する。なお、本実施形態に係る情報処理装置は、例えば、日ごとや一定時間経過ごとに、第１の条件と第２の条件とを設定してもよい。
【００４２】
さらに、本実施形態に係る情報処理装置は、第１の条件と第２の条件とを新たに設定した場合には、新たに設定された第２の条件のヒント（新たに設定された第２の条件に関する情報）を、各ユーザ端末に対して通知してもよい。ここで、本実施形態に係る情報処理装置が通知するヒントとしては、例えば、図１に示すＢＡのような図形や、チェーン店の名称（または略称）、地域などが挙げられる。新たに設定された第２の条件のヒントを各ユーザ端末に通知することによって、例えば、ビンゴゲームにおいてビンゴの連鎖が可能となる
【００４３】
本実施形態に係る情報処理装置は、例えば図４Ａ〜図４Ｄを参照して説明したような処理を行うことによって、ビンゴゲームサービスをユーザに提供する。
【００４４】
なお、上記では、第１の条件（すなわち、リーチ条件）が“領域ＡＲ１_Ｂ、領域ＡＲ２_Ｂ、領域ＡＲ３_Ｂ、および領域ＡＲ４_Ｂのうちの３つの領域内に、ユーザ端末が存在すること”であり、第２の条件（すなわち、ビンゴ条件）が“領域ＡＲ１_Ｂ、領域ＡＲ２_Ｂ、領域ＡＲ３_Ｂ、および領域ＡＲ４_Ｂの全ての領域内に、ユーザ端末が存在すること”である場合を例に挙げて説明したが、本実施形態に係る第１の条件と本実施形態に係る第２の条件とは、上記に限られない。そこで、次に、本実施形態に係る第１の条件と本実施形態に係る第２の条件との例について説明する。
【００４５】
［３］本実施形態に係る第１の条件、第２の条件の一例
以下では、説明の便宜上、図１と同様に、場所情報が、領域ＡＲ１_Ｂ〜領域ＡＲ４_Ｂの４つの領域を示し、また、基本的に、図１のＢＡに示すクロスの図形が描かれるときに、ビンゴが成立する場合を例に挙げて、第１の条件（リーチ条件）と、第２の条件（ビンゴ条件）の一例について説明する。
【００４６】
（ｉ）第１の例：第２の条件が、第１の条件よりも空間的な条件が厳しい場合
図５は、本実施形態に係る第１の条件、第２の条件の第１の例を説明するための説明図である。
【００４７】
・第１の条件
領域ＡＲ１〜領域ＡＲ４の領域内に、ユーザ端末の位置が含まれること
・第２の条件
対応する領域ＡＲ１〜領域ＡＲ４それぞれよりも狭い領域である、領域ＡＲ１_Ｂ〜領域ＡＲ４_Ｂの領域内に、ユーザ端末の位置が含まれること
【００４８】
（ｉｉ）第２の例：第２の条件が、第１の条件よりも時間的な条件が厳しい場合
図６Ａ、図６Ｂは、本実施形態に係る第１の条件、第２の条件の第２の例を説明するための説明図である。
【００４９】
・第１の条件
領域ＡＲ１_Ｂ〜領域ＡＲ４_Ｂの領域内に、ユーザ端末が、第１の期間（ｔ１）継続して存在すること
・第２の条件
領域ＡＲ１_Ｂ〜領域ＡＲ４_Ｂの領域内に、ユーザ端末が、第２の期間（ｔ２。ｔ２＞ｔ１）継続して存在すること
【００５０】
（ｉｉｉ）第３の例：第２の条件が、第１の条件よりも条件数が多い場合
・第１の条件
領域ＡＲ１_Ｂ、領域ＡＲ２_Ｂ、領域ＡＲ３_Ｂ、および領域ＡＲ４_Ｂのうちの３つの領域内に、ユーザ端末が存在すること
・第２の条件
領域ＡＲ１_Ｂ、領域ＡＲ２_Ｂ、領域ＡＲ３_Ｂ、および領域ＡＲ４_Ｂの全ての領域内に、ユーザ端末が存在すること
【００５１】
ここで、本実施形態に係る情報処理装置が、上記第３の例に係る第１の条件と第２の条件を用いて（１）の処理（判定処理）を行う場合には、例えば、図４Ａ〜図４Ｄを参照して説明したようなビンゴゲームサービスをユーザに提供することが可能となる。
【００５２】
（ｉｖ）第４の例：第２の条件が、第１の条件よりも条件数が多い場合
・第１の条件
領域ＡＲ１_Ｂ、領域ＡＲ２_Ｂ、領域ＡＲ３_Ｂ、および領域ＡＲ４_Ｂの全ての領域内に、ユーザ端末が存在すること
・第２の条件
領域ＡＲ１_Ｂ、領域ＡＲ２_Ｂ、領域ＡＲ３_Ｂ、および領域ＡＲ４_Ｂの全ての領域内に、ユーザ端末が存在することに加え、ユーザ端末のユーザの一部または全員が所定の動作を行ったことが検出されたこと
【００５３】
ここで、本実施形態に係る情報処理装置は、例えば、ユーザが所定の商品（例えばコーヒーなど）を購入したことを示す購入データや、所定の画像を示す画像データを、第１の条件を満たしているユーザ端末と候補ユーザ端末との一部または全部のユーザ端末から取得した場合に、ユーザの所定の動作が検出されたと判定する。上記所定の画像を示す画像データとしては、例えば、商品やランドマークなどを撮像した撮像データや、場所情報が示す場所特有のＡＲ（Augmented  Reality）が含まれる撮像データなどが挙げられる。
【００５４】
例えば購入データをユーザ端末から取得した場合には、本実施形態に係る情報処理装置は、例えば、ユーザ端末のユーザが商品を場所情報が示す場所において購入したことを、ユーザの所定の動作として検出する。また、例えば所定の画像を示す画像データを、ユーザ端末から取得した場合には、本実施形態に係る情報処理装置は、例えば、画像データが示す画像、および／または、画像データに含まれるメタ情報に基づいて、ユーザ端末のユーザが場所情報が示す場所において撮像を行ったことを、ユーザの所定の動作として検出する。
【００５５】
図７は、本実施形態に係る情報処理装置が、画像データに基づいてユーザの所定の動作の検出を行う場合の概要を説明するための説明図である。ここで、図７に示すＡは、ＡＲ表示される物体（仮想的に表示される物体）Ｏが含まれる画像データが示す画像の一例を示している。ＡＲ表示される物体Ｏは、例えば、実際に存在するランドマークをマーカとして、ユーザ端末の表示画面に重畳表示されてもよいし、ユーザ端末の位置を示す位置情報（例えば、ＧＰＳデバイスにより得られる情報）や姿勢を示す情報（例えば、加速度センサの検出情報）に応じて重畳表示されてもよい。また、図７に示すＢは、ユーザの所定の動作が検出された結果、第２条件を満たすと判定された場合に、本実施形態に係る情報処理装置がユーザ端末などに表示させる表示画面の一例を示している。
【００５６】
本実施形態に係る情報処理装置は、例えば、ユーザ端末から取得された画像データに、図７のＡに示すようなＡＲ表示される物体Ｏが含まれる場合に、ユーザの所定の動作が行われたことを検出する。本実施形態に係る情報処理装置は、例えば、第２の条件の判定のために設定されている物体と、画像データに含まれる物体とが一致する場合に、ユーザによる所定の動作が行われたと判定して、ユーザの所定の動作を検出する。なお、上記では、本実施形態に係る情報処理装置が、図７のＡに示すようなＡＲ表示される物体Ｏが画像データに含まれる場合に、ユーザの所定の動作が行われたことを検出する例を示したが、本実施形態に係る情報処理装置における画像データに基づく処理は、上記に限られない。例えば、本実施形態に係る情報処理装置は、現実に存在する特定のランドマークなどの特定の物体が、ユーザ端末から取得された画像データに含まれる場合に、ユーザの所定の動作が行われたことを検出してもよい。
【００５７】
また、ユーザの所定の動作が検出された結果、第２条件を満たすと判定された場合には、本実施形態に係る情報処理装置は、例えば、図７のＢに示すような表示画面をユーザ端末などに表示させる。例えば図７のＢに示すように、本実施形態に係る情報処理装置は、ユーザ端末から取得された画像データに含まれるＡＲ表示される物体Ｏ（ユーザ端末により撮像された物体の一例）を、プライズ（景品）として表示させてもよい。なお、第２条件を満たすと判定された場合に、本実施形態に係る情報処理装置がユーザ端末などに表示させる表示画面が、図７のＢに示す例に限られないことは、言うまでもない。
【００５８】
本実施形態に係る情報処理装置が、第２の条件に係る判定において、例えば上記のように、ユーザの所定の動作が検出されたか否かを判定することによって、例えば、ビンゴゲームにおける不正の防止を図ることができる。
【００５９】
本実施形態に係る情報処理装置は、例えば、上記第１の例〜上記第４の例に係る第１の条件と第２の条件とを用いて（１）の処理（判定処理）を行う。なお、本実施形態に係る第１の条件、第２の条件は、上記第１の例〜上記第４の例に限られない。例えば、本実施形態に係る情報処理装置は、上述したユーザの所定の動作が検出されることを、第１条件（または、第１条件に含まれる条件の１つ）とすることも可能である。また、本実施形態に係る情報処理装置は、例えば、上述したユーザの所定の動作が検出されることを、第２条件としてもよい。
【００６０】
［４］本実施形態に係る情報処理方法に係る処理の具体例
次に、本実施形態に係る情報処理装置における、ビンゴゲームサービスを実現することが可能な本実施形態に係る情報処理方法に係る処理について、より具体的に説明する。図８は、本実施形態に係る情報処理装置における、本実施形態に係る情報処理方法に係る処理の一例を示す流れ図である。ここで、図８では、例えば、ステップＳ１０４、Ｓ１０８、Ｓ１１２の処理が、（１）の処理（判定処理）に該当する。また、図８では、例えば、ステップＳ１０６、Ｓ１１０、Ｓ１１４の処理が、（２）の処理（判定処理）に該当する。
【００６１】
本実施形態に係る情報処理装置は、本実施形態に係るビンゴゲームサービスにログインしているユーザに対応するユーザ端末を抽出する（Ｓ１００）。なお、本実施形態に係る情報処理装置が抽出するユーザ端末は、上記に限られない。例えば、本実施形態に係る情報処理装置は、ビンゴゲームサービスにログインしているユーザのうち、これから提供するビンゴゲームサービスへの参加資格を有するユーザ端末を、選択的に抽出してもよい。本実施形態に係る情報処理装置が選択的に抽出するユーザ端末としては、例えば、特定のグループにメンバー登録されているユーザに対応するユーザ端末が挙げられる。
【００６２】
ステップＳ１００においてユーザ端末が抽出されると、本実施形態に係る情報処理装置は、ログインしているユーザ端末に変化があるか否かを判定する（Ｓ１０２）。ここで、本実施形態に係る情報処理装置は、例えば、ログインしている各ユーザ端末から取得された位置情報が示す位置が変化した場合に、ユーザ端末に変化があると判定する。
【００６３】
ステップＳ１０２においてユーザ端末に変化があると判定されない場合には、本実施形態に係る情報処理装置は、ユーザ端末に変化があると判定されるまで処理を進めない。なお、図８では、本実施形態に係る情報処理装置がステップＳ１０２の処理を行う例を示しているが、本実施形態に係る情報処理装置における処理は、上記に限られない。例えば、本実施形態に係る情報処理装置は、ステップＳ１０２の処理を行わずに、定期的／非定期的に後述するステップＳ１０４の処理を行ってもよい。
【００６４】
また、ステップＳ１０２においてユーザ端末に変化があると判定された場合には、本実施形態に係る情報処理装置は、ログインしているユーザ端末が、リーチ条件（第１の条件）を満たしているか否かを判定する（Ｓ１０４：第１の条件判定処理）。
【００６５】
ここで、ステップＳ１０４において、本実施形態に係る情報処理装置は、例えば、ユーザ端末から取得された位置情報と、場所情報とに基づいて、リーチ条件（第１の条件）を満たすか否かを判定するが、本実施形態に係る情報処理装置におけるステップＳ１０４の処理は、上記に限られない。例えば、本実施形態に係る情報処理装置は、さらに、ユーザ端末それぞれから取得されたユーザを示すユーザ情報に基づいて、リーチ条件（第１の条件）を満たすか否かを判定してもよい。また、本実施形態に係る情報処理装置は、日時などの時間情報に基づいて、リーチ条件（第１の条件）を満たすか否かを判定することも可能である。ここで、本実施形態に係るユーザ情報としては、例えば、性別や、年齢を示す情報が挙げられる。
【００６６】
ユーザ情報を用いてリーチ条件（第１の条件）を満たすか否かの判定を行うことによって、本実施形態に係る情報処理装置は、例えば、女性限定のビンゴゲームサービスや、年齢限定（例えば、以上、以下、範囲）のビンゴゲームサービスを提供することが可能となる。また、時間情報を用いてリーチ条件（第１の条件）を満たすか否かの判定を行うことによって、本実施形態に係る情報処理装置は、例えば、期間限定のビンゴゲームサービスを提供することができる。
【００６７】
ステップＳ１０４においてリーチ条件（第１の条件）を満たしていると判定されない場合には、本実施形態に係る情報処理装置は、ステップＳ１０２からの処理を繰り返す。
【００６８】
また、ステップＳ１０４においてリーチ条件（第１の条件）を満たしていると判定された場合には、本実施形態に係る情報処理装置は、リーチ条件（第１の条件）を満たしているユーザ端末と候補ユーザ端末とに、リーチ通知を送信する（Ｓ１０６）。
【００６９】
なお、本実施形態に係る情報処理装置は、例えば、一定の条件を満たす場合には、ユーザ端末に対してリーチ通知を行わないことも可能である。ここで、上記一定の条件としては、例えば、“海の上や湖の上など、地理的に通知を行わない領域内にユーザ端末の位置が存在すること”や、“ユーザが飛行機や列車で移動している場合のように、ユーザ端末が、閾値の速さ以上（または、閾値より大きな速さ）で移動していること”などが挙げられる。
【００７０】
ステップＳ１０６の処理を行うと、本実施形態に係る情報処理装置は、リーチ通知がされているリーチ条件（第１の条件）が満たされているか否かを判定する（Ｓ１０８）。ここで、本実施形態に係る情報処理装置は、例えば、リーチ条件（第１の条件）を満たしているユーザ端末と候補ユーザ端末とから取得される位置情報などに基づいて、ステップＳ１０４と同様の処理を行う。
【００７１】
ステップＳ１０８においてリーチ条件（第１の条件）が満たされてると判定されない場合には、本実施形態に係る情報処理装置は、リーチ条件（第１の条件）を満たしているユーザ端末および候補ユーザ端末に対して、リーチ条件未達通知を送信する（Ｓ１１０）。そして、本実施形態に係る情報処理装置は、ステップＳ１０２からの処理を繰り返す。なお、本実施形態に係る情報処理装置は、ステップＳ１１０の処理を行った後に、今回のビンゴゲームサービスを終了させてもよい。
【００７２】
また、ステップＳ１０８においてリーチ条件（第１の条件）が満たされてると判定された場合には、本実施形態に係る情報処理装置は、リーチ通知されているユーザ端末が、ビンゴ条件（第２の条件）を満たしているか否かを判定する（Ｓ１１２：第２の条件判定処理）。
【００７３】
ここで、ステップＳ１１２において、本実施形態に係る情報処理装置は、例えば、ユーザ端末から取得された位置情報と、場所情報とに基づいて、ビンゴ条件（第２の条件）を満たすか否かを判定するが、本実施形態に係る情報処理装置におけるステップＳ１１２の処理は、上記に限られない。例えば、本実施形態に係る情報処理装置は、ステップＳ１０４と同様に、さらに、ユーザ端末それぞれから取得されたユーザを示すユーザ情報に基づいて、ビンゴ条件（第２の条件）を満たすか否かを判定してもよい。また、本実施形態に係る情報処理装置は、ステップＳ１０４と同様に、時間情報に基づいて、ビンゴ条件（第２の条件）を満たすか否かを判定することも可能である。
【００７４】
ステップＳ１１２においてビンゴ条件（第２の条件）を満たしていると判定されない場合には、本実施形態に係る情報処理装置は、ステップＳ１０８からの処理を繰り返す。
【００７５】
また、ステップＳ１１２においてビンゴ条件（第２の条件）を満たしていると判定された場合には、本実施形態に係る情報処理装置は、ビンゴ条件を満たしているユーザ端末と、当該ビンゴ条件を満たしているユーザ端末を除く候補ユーザ端末とに、ビンゴ通知を送信する（Ｓ１１４）。そして、本実施形態に係る情報処理装置は、今回のビンゴゲームサービスを終了させる。
【００７６】
本実施形態に係る情報処理装置は、例えば図８に示す処理を行うことによって、ビンゴゲームサービスをユーザに提供する。ここで、図８では、例えば、ステップＳ１０４、Ｓ１０８、Ｓ１１２の処理が、本実施形態に係る情報処理方法に係る（１）の処理（判定処理）に該当し、例えば、ステップＳ１０６、Ｓ１１０、Ｓ１１４の処理が、本実施形態に係る情報処理方法に係る（２）の処理（判定処理）に該当する。よって、例えば図８に示す処理を行うことによって、本実施形態に係る情報処理装置は、複数のユーザ端末の位置に基づいて、例えば図４Ａ〜図４Ｂを参照して示したような、本実施形態に係るビンゴゲームサービスをユーザに提供することができる。
【００７７】
なお、本実施形態に係る情報処理方法に係る処理は、図８に示す処理に限られない。例えば、本実施形態に係る情報処理装置は、図８のステップＳ１１２においてビンゴ条件（第２の条件）を満たすと判定された場合には、新たにリーチ条件（第１の条件）とビンゴ条件（第２の条件）とを設定してもよい。また、新たにビンゴ条件（第２の条件）を設定した場合には、本実施形態に係る情報処理装置は、新たに設定されたビンゴ条件（第２の条件）に関する情報を、ユーザ端末に対して送信してもよい。
【００７８】
（本実施形態に係る情報処理装置）
次に、上述した本実施形態に係る情報処理方法に係る処理を行うことが可能な、本実施形態に係る情報処理装置１００の構成の一例について、説明する。
【００７９】
図９は、本実施形態に係る情報処理装置１００の構成の一例を示すブロック図である。ここで、図９では、ネットワーク３００を介して情報処理装置１００と接続されたユーザ端末２００Ａ、２００Ｂ、…を併せて示している。ネットワーク３００としては、例えば、ＷＡＮなどの有線ネットワークや、基地局を介した無線ＷＡＮなどの無線ネットワーク、あるいは、ＴＣＰ／ＩＰなどの通信プロトコルを用いたインターネットなどが挙げられる。
【００８０】
ユーザ端末２００Ａ、２００Ｂ、・・・は、例えばＧＰＳデバイスなどのようなユーザ端末の位置の特定に用いることが可能なセンサを備え、自端末の位置を示す位置情報を情報処理装置１００へと送信する。また、ユーザ端末２００Ａ、２００Ｂ、・・・は、さらに、自端末に記憶されているユーザ情報を情報処理装置１００へと送信してもよい。ユーザ端末２００Ａ、２００Ｂ、・・・は、定期的／非定期的に送信される位置情報などを送信し、情報処理装置１００は、例えば、ユーザ端末２００Ａ、２００Ｂ、・・・から送信される位置情報などを受信することによって、位置情報などを取得する。
【００８１】
なお、本実施形態に係る情報処理装置１００における、位置情報などの取得方法は、上記に限られない。例えば、情報処理装置１００は、位置情報などの送信要求を、ユーザ端末２００Ａ、２００Ｂ、・・・に対して送信し、当該送信要求に応じて各ユーザ端末から送信される位置情報などを受信することによって、位置情報などを取得してもよい。
【００８２】
情報処理装置１００は、例えば、通信部１０２と、制御部１０４とを備える。
【００８３】
また、情報処理装置１００は、例えば、ＲＯＭ（Read  Only  Memory；図示せず）や、ＲＡＭ（Random  Access  Memory；図示せず）、記憶部（図示せず）、ユーザが操作可能な操作部（図示せず）、様々な画面を表示画面に表示する表示部（図示せず）などを備えていてもよい。情報処理装置１００は、例えば、データの伝送路としてのバス（bus）により上記各構成要素間を接続する。
【００８４】
ここで、ＲＯＭ（図示せず）は、制御部１０４が使用するプログラムや演算パラメータなどの制御用データを記憶する。ＲＡＭ（図示せず）は、制御部１０４により実行されるプログラムなどを一時的に記憶する。
【００８５】
記憶部（図示せず）は、情報処理装置１００が備える記憶手段であり、例えば、場所情報や、第１の条件を示すデータ、第２の条件を示すデータなどのようなビンゴゲームサービスの提供に係るデータや、対価に係るデータ、アプリケーションなど様々なデータを記憶する。ここで、記憶部（図示せず）としては、例えば、ハードディスク（Hard  Disk）などの磁気記録媒体や、ＥＥＰＲＯＭ（Electrically  Erasable  and  Programmable  Read  Only  Memory）、フラッシュメモリ（flash  memory）などの不揮発性メモリ（nonvolatile  memory）などが挙げられる。また、記憶部（図示せず）は、情報処理装置１００から着脱可能であってもよい。
【００８６】
操作部（図示せず）としては、例えば、ボタンや、方向キー、ジョグダイヤルなどの回転型セレクター、あるいは、これらの組み合わせなどが挙げられる。また、情報処理装置１００は、例えば、情報処理装置１００の外部装置としての操作入力デバイス（例えば、キーボードやマウスなど）と接続することもできる。
【００８７】
表示部（図示せず）としては、例えば、液晶ディスプレイ（Liquid  Crystal  Display；ＬＣＤ）や有機ＥＬディスプレイ（organic  ElectroLuminescence  display。または、ＯＬＥＤディスプレイ（Organic  Light  Emitting  Diode  display）ともよばれる。）などが挙げられる。なお、表示部（図示せず）は、例えばタッチスクリーンなどのように、表示とユーザ操作とが可能なデバイスであってもよい。また、情報処理装置１００は、表示部（図示せず）の有無に関わらず、情報処理装置１００の外部装置としての表示デバイス（例えば、外部ディスプレイなど）と接続することもできる。
【００８８】
［情報処理装置１００のハードウェア構成例］
図１０は、本実施形態に係る情報処理装置１００のハードウェア構成の一例を示す説明図である。情報処理装置１００は、例えば、ＭＰＵ１５０と、ＲＯＭ１５２と、ＲＡＭ１５４と、記録媒体１５６と、入出力インタフェース１５８と、操作入力デバイス１６０と、表示デバイス１６２と、通信インタフェース１６４とを備える。また、情報処理装置１００は、例えば、データの伝送路としてのバス１６６で各構成要素間を接続する。
【００８９】
ＭＰＵ１５０は、例えば、ＭＰＵ（Micro  Processing  Unit）や、各種処理回路などで構成され情報処理装置１００全体を制御する制御部１０４として機能する。また、ＭＰＵ１５０は、情報処理装置１００において、例えば、後述する第１条件判定部１１０、第２条件判定部１１２、通知処理部１１４、および条件設定部１１６の役目を果たす。
【００９０】
ＲＯＭ１５２は、ＭＰＵ１５０が使用するプログラムや演算パラメータなどの制御用データなどを記憶する。ＲＡＭ１５４は、例えば、ＭＰＵ１５０により実行されるプログラムなどを一時的に記憶する。
【００９１】
記録媒体１５６は、記憶部（図示せず）として機能し、例えば、場所情報や、第１の条件を示すデータ、第２の条件を示すデータなどのようなビンゴゲームサービスの提供に係るデータや、対価に係るデータ、アプリケーションなど様々なデータを記憶する。ここで、記録媒体１５６としては、例えば、ハードディスクなどの磁気記録媒体や、フラッシュメモリなどの不揮発性メモリが挙げられる。また、記録媒体１５６は、情報処理装置１００から着脱可能であってもよい。
【００９２】
入出力インタフェース１５８は、例えば、操作入力デバイス１６０や、表示デバイス１６２を接続する。操作入力デバイス１６０は、操作部（図示せず）として機能し、また、表示デバイス１６２は、表示部（図示せず）として機能する。ここで、入出力インタフェース１５８としては、例えば、ＵＳＢ（Universal  Serial  Bus）端子や、ＤＶＩ（Digital  Visual  Interface）端子、ＨＤＭＩ（High-Definition  Multimedia  Interface）端子、各種処理回路などが挙げられる。また、操作入力デバイス１６０は、例えば、情報処理装置１００上に備えられ、情報処理装置１００の内部で入出力インタフェース１５８と接続される。操作入力デバイス１６０としては、例えば、ボタン、方向キー、ジョグダイヤルなどの回転型セレクター、あるいは、これらの組み合わせなどが挙げられる。また、表示デバイス１６２は、例えば、情報処理装置１００上に備えられ、情報処理装置１００の内部で入出力インタフェース１５８と接続される。表示デバイス１６２としては、例えば、液晶ディスプレイや有機ＥＬディスプレイなどが挙げられる。
【００９３】
なお、入出力インタフェース１５８が、情報処理装置１００の外部装置としての操作入力デバイス（例えば、キーボードやマウスなど）や、表示デバイスなどの、外部デバイスと接続することもできることは、言うまでもない。また、表示デバイス１６２は、例えばタッチスクリーンなど、表示とユーザ操作とが可能なデバイスであってもよい。
【００９４】
通信インタフェース１６４は、情報処理装置１００が備える通信手段であり、ネットワーク３００を介して（あるいは、直接的に）、例えば、ユーザ端末２００Ａ、２００Ｂ、・・・や、サーバなどの外部装置と無線／有線で通信を行うための通信部１０２として機能する。ここで、通信インタフェース１６４としては、例えば、通信アンテナおよびＲＦ（Radio  Frequency）回路（無線通信）や、ＩＥＥＥ８０２．１５．１ポートおよび送受信回路（無線通信）、ＩＥＥＥ８０２．１１ｂポートおよび送受信回路（無線通信）、あるいはＬＡＮ端子および送受信回路（有線通信）などが挙げられる。
【００９５】
情報処理装置１００は、例えば図１０に示す構成によって、本実施形態に係る情報処理方法に係る処理を行う。なお、本実施形態に係る情報処理装置１００のハードウェア構成は、図１０に示す構成に限られない。例えば、情報処理装置１００は、同種または異種の複数の通信インタフェースを備えていてもよい。また、情報処理装置１００は、例えば、操作デバイス１６０や表示デバイス１６２を備えない構成をとることも可能である。
【００９６】
なお、本実施形態に係るユーザ端末２００Ａ、２００Ｂ、・・・は、例えば、基本的に図１０と同様のハードウェア構成をとることができ、ＧＰＳデバイスをさらに備える。また、本実施形態に係るユーザ端末２００Ａ、２００Ｂ、・・・は、さらに、画像（静止画像／動画像）を撮像可能な撮像デバイスを備えていてもよい。
【００９７】
再度図１０を参照して、情報処理装置１００の構成の一例について説明する。通信部１０２は、情報処理装置１００が備える通信手段であり、ネットワーク３００を介して（あるいは、直接的に）、例えば、ユーザ端末２００Ａ、２００Ｂ、・・・や、サーバなどの外部装置と無線／有線で通信を行う。また、通信部１０２は、例えば制御部１０４により通信が制御される。通信部１０２を備えることによって、情報処理装置１００は、各ユーザ端末から位置情報などを取得することができ、また、ユーザ端末に対して、リーチ通知やリーチ条件未達通知、ビンゴ通知などの各種通知を行うことができる。
【００９８】
ここで、通信部１０２としては、例えば、通信アンテナおよびＲＦ回路や、ＬＡＮ端子および送受信回路などが挙げられるが、通信部１０２の構成は、上記に限られない。例えば、通信部１０２は、ＵＳＢ端子および送受信回路など通信を行うことが可能な任意の規格に対応する構成や、ネットワーク３００に対応する構成をとることができる。
【００９９】
制御部１０４は、例えばＭＰＵなどで構成され、情報処理装置１００全体を制御する役目を果たす。また、制御部１０４は、例えば、第１条件判定部１１０と、第２条件判定部１１２と、通知処理部１１４と、条件設定部１１６とを備え、本実施形態に係る情報処理方法に係る処理を主導的に行う役目を果たす。
【０１００】
第１条件判定部１１０と、第２条件判定部１１２とは、本実施形態に係る情報処理方法に係る（１）の処理（判定処理）を主導的に行う役目を果たす。
【０１０１】
第１条件判定部１１０は、ユーザ端末から取得された位置情報と、場所情報とに基づいて、第１の条件を満たすことを判定する。また、第１条件判定部１１０は、さらに、ユーザ端末それぞれから取得されたユーザ情報に基づいて、第１の条件（リーチ条件）を満たすことを判定してもよい。
【０１０２】
第２条件判定部１１２は、第１条件判定部１１０において第１の条件（リーチ条件）を満たすと判定された場合に、ユーザ端末から取得された位置情報と場所情報とに基づいて、第２の条件（ビンゴ条件）を満たすことを判定する。また、第２条件判定部１１２は、さらに、ユーザ端末それぞれから取得されたユーザ情報に基づいて、第２の条件（ビンゴ条件）を満たすことを判定してもよい。より具体的には、第２条件判定部１１２は、例えば、ビンゴゲームサービスを利用しているユーザに対応するユーザ端末のうち、第１の条件（リーチ条件）を満たしているユーザ端末と、候補ユーザ端末とが、第２の条件（ビンゴ条件）を満たすことを判定する。
【０１０３】
ここで、候補ユーザ端末の特定に係る処理は、例えば、後述する通知処理部１１４が行うが、本実施形態に係る情報処理装置１００において候補ユーザ端末の特定に係る処理を行う機能ブロックは、通知処理部１１４に限られない。例えば、情報処理装置１００では、第１条件判定部１１０や第２条件判定部１１２が候補ユーザ端末の特定に係る処理を行ってもよく、また、情報処理装置１００は、候補ユーザ端末の特定に係る処理を行う候補ユーザ特定部を別途備えていてもよい。
【０１０４】
第１条件判定部１１０と、第２条件判定部１１２とは、本実施形態に係る情報処理方法に係る（１）の処理（判定処理）として、例えば上記のような処理を行う。なお、本実施形態に係る第１条件判定部１１０、第２条件判定部１１２それぞれにおける処理が、上記に示す処理に限られないことは、言うまでもない。
【０１０５】
通知処理部１１４は、本実施形態に係る情報処理方法に係る（２）の処理（通知処理）を主導的に行う役目を果たし、ユーザ端末に対して、第１の条件（リーチ条件）に関する判定の結果、または、第２の条件（ビンゴ条件）に関する判定の結果を通知する。
【０１０６】
ここで、本実施形態に係る第１の条件（リーチ条件）に関する判定の結果としては、例えば、リーチ通知や、リーチ条件未達通知、本ビンゴゲームの参加資格がないこと（または参加資格を失ったこと）を示す通知、第１の条件（リーチ条件）を満たしているユーザ端末および候補ユーザ端末の位置情報の通知などが挙げられる。また、本実施形態に係る第２の条件（ビンゴ条件）に関する判定の結果としては、例えば、ビンゴ通知や、新たに設定された第２の条件のヒント（新たに設定された第２の条件に関する情報）の通知などが挙げられる。
【０１０７】
より具体的には、通知処理部１１４は、例えば、第１条件判定部１１０において第１の条件を満たすと判定された場合には、ユーザ端末から取得した位置情報と場所情報とに基づいて、第２の条件（ビンゴ条件）を満たす可能性があるユーザ端末を、候補ユーザ端末として特定する。そして、通知処理部１１４は、通信部１０２に、第１の条件（リーチ条件）に関する判定の結果としてのリーチ通知（第１の条件が満たされたことを示す情報）を、第１の条件（リーチ条件）を満たしているユーザ端末と、候補ユーザ端末とに対して送信させる。また、通知処理部１１４は、例えば、第１の条件を満たしているユーザ端末または候補ユーザ端末のいずれにも該当しないユーザ端末に対して、例えば、本ビンゴゲームの参加資格がないこと（または参加資格を失ったこと）を示す通知を行ってもよい。
【０１０８】
なお、上記では、通知処理部１１４が候補ユーザ端末を特定する処理を行うことを示したが、上述したように、本実施形態に係る情報処理装置１００において候補ユーザ端末の特定に係る処理を行う機能ブロックは、通知処理部１１４に限られない。
【０１０９】
また、通知処理部１１４は、例えば、第２条件判定部１１２において第２の条件を満たすと判定された場合には、通信部１０２に、第２の条件（ビンゴ条件）に関する判定の結果としてのビンゴ通知（第２の条件が満たされてたことを示す情報）を、第２の条件を満たしているユーザ端末と、第２の条件を満たしているユーザ端末を除く候補ユーザ端末とに対して送信させる。
【０１１０】
また、通知処理部１１４は、例えば、第１条件判定部１１０において第１の条件を満たすと判定された後、第２条件判定部１１２において第２の条件を満たすと判定される前に、第１条件判定部１１０において第１の条件を満たすと判定されなくなったときには、通信部１０２に、第１の条件（リーチ条件）に関する判定の結果としてのリーチ条件未達通知（第１の条件が満たされなくなったことを示す情報）を、第１の条件（リーチ条件）を満たしていたユーザ端末と、候補ユーザ端末とに対して送信させる。
【０１１１】
さらに、通知処理部１１４は、例えば、後述する条件設定部１１６において第１の条件（リーチ条件）と第２の条件（ビンゴ条件）とが新たに設定された場合には、通信部１０２に、新たに設定された第２の条件のヒント（新たに設定された第２の条件に関する情報）を、ユーザ端末に対して送信させる。
【０１１２】
通知処理部１１４は、本実施形態に係る情報処理方法に係る（２）の処理（通知処理）として、例えば上記のような処理を行う。なお、本実施形態に係る通知処理部１１４における処理が、上記に示す処理に限られないことは、言うまでもない。
【０１１３】
条件設定部１１６は、第１の条件（リーチ条件）と第２の条件（ビンゴ条件）とを設定する役目を果たす。
【０１１４】
条件設定部１１６は、例えば、情報処理装置１００のユーザ（例えば、本実施形態に係るビンゴゲームサービスの提供者など）のユーザ操作に基づいて、第１の条件（リーチ条件）と第２の条件（ビンゴ条件）とを設定する。より具体的には、条件設定部１１６は、例えば、ビンゴの成立条件となる図形や、チェーン店などの名称、地域などの情報処理装置１００のユーザからの入力に基づいて第２の条件（ビンゴ条件）を設定する。また、条件設定部１１６は、例えば、上記（ｉ）〜（ｉｖ）に示すような、第１の条件（リーチ条件）と第２の条件（ビンゴ条件）との関係を示す選択肢が、情報処理装置１００のユーザにより選択されることによって、第１の条件（リーチ条件）を設定する。
【０１１５】
なお、条件設定部１１６における第１の条件（リーチ条件）と第２の条件（ビンゴ条件）との設定方法は、上記に限られない。例えば、条件設定部１１６は、予め設定されている条件候補の中から、条件候補をランダムに選択することによって、自動的に第１の条件（リーチ条件）と第２の条件（ビンゴ条件）とを設定することも可能である。
【０１１６】
また、条件設定部１１６は、例えば、さらに、ユーザ端末から送信された入力情報に基づいて、第１の条件（リーチ条件）と第２の条件（ビンゴ条件）とを設定することも可能である。ここで、本実施形態に係る入力情報としては、例えば、ビンゴの成立条件となる図形や、チェーン店などの名称、地域や、上記（ｉ）〜（ｉｖ）に示すような、第１の条件（リーチ条件）と第２の条件（ビンゴ条件）との関係の選択結果などを含むデータが挙げられる。
【０１１７】
例えば、第１の条件（リーチ条件）と第２の条件（ビンゴ条件）とを設定するための一部の条件（ビンゴゲームサービスの提供形態によっては、全部の条件であってもよい。）を、ユーザ端末から送信された入力情報に基づくものとすることによって、本実施形態に係るビンゴゲームサービスにおいて、特定のユーザ（例えば、グループのリーダなど）によって主動されるビンゴゲームを実現することができる。
【０１１８】
ここで、情報処理装置１００は、例えば、ユーザの権限やユーザのプロフィールなどのユーザの情報が、ビンゴゲームサービスに登録されたユーザごとに記録されたユーザ登録リスト（または、ユーザ登録データベース）を参照することによって、上記特定のユーザによるビンゴゲームの主動を可能とする。なお、上記ユーザ登録リスト（または、ユーザ登録データベース）は、例えば、情報処理装置１００が備える記憶部（図示せず）に記憶されていてもよいし、情報処理装置１００と通信可能なサーバなどの外部装置に記憶されていてもよい。
【０１１９】
条件設定部１１６は、第２条件判定部１１２において第２の条件（ビンゴ条件）を満たすと判定された場合には、例えば、第１の条件（リーチ条件）と第２の条件（ビンゴ条件）とを新たに設定してもよい。条件設定部１１６が第１の条件（リーチ条件）と第２の条件（ビンゴ条件）とを新たに設定することによって、情報処理装置１００は、第２の条件（ビンゴ条件）が満たされたビンゴゲームと連続して、新たなビンゴゲームを開始することが可能となる。
【０１２０】
ここで、条件設定部１１６は、第２条件判定部１１２において第２の条件（ビンゴ条件）を満たすと判定された場合には、例えば、自動的に第１の条件（リーチ条件）と第２の条件（ビンゴ条件）とを設定するが、条件の設定方法は、上記に限られない。例えば、条件設定部１１６は、第２条件判定部１１２において第２の条件（ビンゴ条件）を満たすと判定された場合には、情報処理装置１００のユーザに第２の条件（ビンゴ条件）が満たされたことを通知し、情報処理装置１００のユーザのユーザ操作に基づいて、第１の条件（リーチ条件）と第２の条件（ビンゴ条件）とを設定することも可能である。
【０１２１】
制御部１０４は、例えば、第１条件判定部１１０、第２条件判定部１１２、通知処理部１１４、および条件設定部１１６を備えることによって、本実施形態に係る情報処理方法に係る処理（例えば、上記（１）の処理（判定処理）と上記（２）の処理（通知処理））を主導的に行うことができる。
【０１２２】
なお、本実施形態に係る制御部１０４の構成は、図９に示す例に限られない。例えば、本実施形態に係る情報処理装置１００は、第１条件判定部１１０、第２条件判定部１１２、通知処理部１１４、および条件設定部１１６のうちの、１または２以上の構成要素を、制御部１０４とは別体の処理回路として備えていてもよい。
【０１２３】
情報処理装置１００は、例えば図９に示す構成を有することによって、本実施形態に係る情報処理方法に係る処理を行う。よって、情報処理装置１００は、複数のユーザ端末の位置に基づいて、ビンゴゲームサービスをユーザに提供することができる。
【０１２４】
なお、本実施形態に係る情報処理装置の構成は、図９に示す構成に限られない。例えば、本実施形態に係る情報処理装置は、条件設定部１１６を備えない構成をとることも可能である。条件設定部１１６を備えない構成をとる場合、本実施形態に係る情報処理装置は、例えば、外部装置から取得した、第１の条件、第２の条件を示す条件情報が示す各条件を、第１の条件、第２の条件とする。なお、条件設定部１１６を備える構成であっても、同様に、外部装置から取得した、第１の条件、第２の条件を示す条件情報が示す各条件を、第１の条件、第２の条件とすることは可能である。条件設定部１１６を備えない構成であっても、本実施形態に係る情報処理装置は、本実施形態に係る情報処理方法に係る（１）の処理（判定処理）と（２）の処理（通知処理）とを行うことができる。よって、条件設定部１１６を備えない構成であっても、本実施形態に係る情報処理装置は、複数のユーザ端末の位置に基づいて、ビンゴゲームサービスをユーザに提供することができる。
【０１２５】
以上のように、本実施形態に係る情報処理装置は、本実施形態に係る情報処理方法に係る処理として、例えば、（１）の処理（判定処理）と（２）の処理（通知処理）とを行う。ここで、情報処理装置１００は、ユーザ端末それぞれから取得された位置情報に基づいて、ビンゴゲームにおけるリーチに相当する状態の判定に係る第１の条件と、ビンゴゲームにおけるビンゴに相当する状態の判定に係る第２の条件との判定を行い（判定処理）、判定結果をユーザ端末に通知する（通知処理）。よって、情報処理装置１００から送信された通知を受信したユーザ端末のユーザは、例えば、ビンゴゲームの現在の状態が、リーチ状態であるか否かや、ビンゴ状態となったことなどを認識することが可能となる。
【０１２６】
したがって、本実施形態に係る情報処理装置は、複数のユーザ端末の位置に基づいて、ビンゴゲームサービスをユーザに提供することができる。
【０１２７】
以上、本実施形態として、情報処理装置を挙げて説明したが、本実施形態は、かかる形態に限られない。本実施形態は、例えば、ＰＣやサーバなどのコンピュータ（または、コンピュータ群）など、様々な機器に適用することができる。
【０１２８】
また、本実施形態として、ユーザ端末を挙げて説明したが、本実施形態は、かかる形態に限られない。本実施形態は、例えば、携帯電話やスマートフォンなどの通信装置や、映像／音楽再生装置（または映像／音楽記録再生装置）、ゲーム機、ＰＣなどのコンピュータなど、様々な機器に適用することができる。
【０１２９】
（本実施形態に係るプログラム）
コンピュータを、本実施形態に係る情報処理装置として機能させるためのプログラム（例えば、上記（１）の処理（判定処理）および（２）の処理（通知処理）など、本実施形態に係る情報処理方法に係る処理を実行することが可能なプログラム）が、コンピュータにおいて実行されることによって、複数のユーザ端末の位置に基づいて、ビンゴゲームサービスを提供することができる。
【０１３０】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１３１】
例えば、本実施形態に係る情報処理装置は、図９に示す第１条件判定部１１０、第２条件判定部１１２、通知処理部１１４、および条件設定部１１６を個別に備える（例えば、それぞれを個別の処理回路で実現する）ことができる。
【０１３２】
また、例えば、上記では、コンピュータを、本実施形態に係る情報処理装置として機能させるためのプログラム（コンピュータプログラム）が提供されることを示したが、本実施形態は、さらに、上記プログラムをそれぞれ記憶させた記録媒体も併せて提供することができる。
【０１３３】
上述した構成は、本実施形態の一例を示すものであり、当然に、本開示の技術的範囲に属するものである。
【０１３４】
なお、以下のような構成も本開示の技術的範囲に属する。
（１）
１または２以上のユーザ端末と通信を行う通信部と、
前記ユーザ端末それぞれから取得されたユーザ端末の位置を示す位置情報と、複数の場所を示す場所情報とに基づいて、第１の条件を満たすことを判定する第１条件判定部と、
前記第１の条件を満たすと判定された場合に、前記位置情報と前記場所情報とに基づいて、前記第１の条件よりも厳しい条件である第２の条件を満たすことを判定する第２条件判定部と、
ユーザ端末に対して、前記第１の条件に関する判定の結果、または、前記第２の条件に関する判定の結果を通知する通知処理部と、
を備える、情報処理装置。
（２）
前記通知処理部は、前記第１の条件を満たすと判定された場合には、
前記位置情報と前記場所情報とに基づいて、前記第２の条件を満たす可能性があるユーザ端末を、候補ユーザ端末として特定し、
前記通信部に、前記第１の条件に関する判定の結果としての前記第１の条件が満たされたことを示す情報を、前記第１の条件を満たしているユーザ端末と、前記候補ユーザ端末とに対して送信させる、（１）に記載の情報処理装置。
（３）
前記第２条件判定部は、前記第１の条件を満たしているユーザ端末と、前記候補ユーザ端末とが、前記第２の条件を満たすことを判定する、（２）に記載の情報処理装置。
（４）
前記通知処理部は、前記第２の条件を満たすと判定された場合には、
前記通信部に、前記第２の条件に関する判定の結果としての前記第２の条件が満たされてたことを示す情報を、前記第２の条件を満たしているユーザ端末と、前記第２の条件を満たしているユーザ端末を除く前記候補ユーザ端末とに対して送信させる、（３）に記載の情報処理装置。
（５）
前記通知処理部は、前記第１の条件を満たすと判定された後、前記第２の条件を満たすと判定される前に、前記第１の条件を満たすと判定されなくなったときには、
前記通信部に、前記第１の条件に関する判定の結果としての前記第１の条件が満たされなくなったことを示す情報を、前記第１の条件を満たしていたユーザ端末と、前記候補ユーザ端末とに対して送信させる、（２）または（３）に記載の情報処理装置。
（６）
前記第１条件判定部と、前記第２条件判定部とは、さらに、前記ユーザ端末それぞれから取得されたユーザを示すユーザ情報に基づいて判定を行う、（１）〜（５）のいずれか１つに記載の情報処理装置。
（７）
前記第１の条件と前記第２の条件とを設定する条件設定部をさらに備える、（１）〜（６）のいずれか１つに記載の情報処理装置。
（８）
前記条件設定部は、前記第２の条件を満たすと判定された場合には、新たに、前記第１の条件と前記第２の条件とを設定する、（７）に記載の情報処理装置。
（９）
前記通知処理部は、前記通信部に、新たに設定された第２の条件に関する情報を、前記ユーザ端末に対して送信させる、（８）に記載の情報処理装置。
（１０）
前記第２の条件は、第１の条件よりも空間的な条件が厳しい、（１）〜（９）のいずれか１つに記載の情報処理装置。
（１１）
前記第２の条件は、第１の条件よりも時間的な条件が厳しい、（１）〜（９）のいずれか１つに記載の情報処理装置。
（１２）
前記第２の条件は、第１の条件よりも条件数が多い、（１）〜（９）のいずれか１つに記載の情報処理装置。
（１３）
前記第２の条件は、前記第１の条件に加え、さらに、前記ユーザ端末のユーザの所定の動作が検出されたことを条件とする、（１２）に記載の情報処理装置。
（１４）
１または２以上のユーザ端末それぞれから取得されたユーザ端末の位置を示す位置情報と、複数の場所を示す場所情報とに基づいて、第１の条件を満たすことを判定するステップと、
前記第１の条件を満たすと判定された場合に、前記位置情報と前記場所情報とに基づいて、前記第１の条件よりも厳しい条件である第２の条件を満たすことを判定するステップと、
ユーザ端末に対して、前記第１の条件に関する判定の結果、または、前記第２の条件に関する判定の結果を通知するステップと、
を有する、情報処理方法。
（１５）
１または２以上のユーザ端末それぞれから取得されたユーザ端末の位置を示す位置情報と、複数の場所を示す場所情報とに基づいて、第１の条件を満たすことを判定するステップ、
前記第１の条件を満たすと判定された場合に、前記位置情報と前記場所情報とに基づいて、前記第１の条件よりも厳しい条件である第２の条件を満たすことを判定するステップ、
ユーザ端末に対して、前記第１の条件に関する判定の結果、または、前記第２の条件に関する判定の結果を通知するステップ、
をコンピュータに実行させるためのプログラム。
【符号の説明】
【０１３５】
１００    情報処理装置
１０２    通信部
１０４    制御部
１１０    第１条件判定部
１１２    第２条件判定部
１１４    通知処理部
１１６    条件設定部
【図１】
2013208147.tif 000003
【図２】
2013208147.tif 000004
【図３】
2013208147.tif 000005
【図４Ａ】
2013208147.tif 000006
【図４Ｂ】
2013208147.tif 000007
【図４Ｃ】
2013208147.tif 000008
【図４Ｄ】
2013208147.tif 000009
【図５】
2013208147.tif 000010
【図６Ａ】
2013208147.tif 000011
【図６Ｂ】
2013208147.tif 000012
【図７】
2013208147.tif 000013
【図８】
2013208147.tif 000014
【図９】
2013208147.tif 000015
【図１０】
2013208147.tif 000016